(57)【特許請求の範囲】
【請求項１】
ショーケースの設定項目のデータを設定するための設定手段と、該設定手段により設定した設定項目の操作履歴を記憶する記憶手段と、該記憶手段に記憶した操作履歴に基づき、設定項目の設定を行う第１の設定モードと、全設定項目に基づき、設定項目の設定を行う第２の設定モードとを切り換えるモード切換手段と、該モード切換手段により第２の設定モードに切り換え、前記設定手段にて全設定項目の中から設定した設定項目について、前記記憶手段の設定項目の操作履歴を変更可能とし、前記記憶手段の設定項目の操作履歴の変更は、操作履歴の置換、追加、変更無のいずれか１つの処理を選択し、選択された処理に基づき、前記記憶手段に記憶する制御手段とを備えたことを特徴とするショーケースの設定装置。
【発明の詳細な説明】
【技術分野】
【０００１】
この発明は、店舗内のショーケースの運転条件を設定するための設定装置に関する。
【背景技術】
【０００２】
まず、従来、店舗に設置されているショーケースは、周知のとおり商品が陳列される庫内と冷気循環通路とが形成され、ファンにより冷却器を通して冷気循環通路及びケース本体の前面を循環する冷気にて庫内が所定の温度の保冷されている。なお、庫内には上下に数段の商品陳列棚が設けられ、その上に多数の商品が並べて展示されている。
【０００３】
このショーケースの各種設定については、例えば、ショーケースに備えた表示部のキー入力手段（切換キー、送りキー、戻りキー）を用い、この切換キーを押すことにより、順次設定項目である温調の設定温度、除霜間隔、水切時間などを表示させ、前記送りキー、戻りキーを操作して各設定を行っている設定装置が知られている（例えば、特許文献１）。
【先行技術文献】
【特許文献】
【０００４】
【特許文献１】特開平９−１４５２１７号公報
【発明の概要】
【発明が解決しようとする課題】
【０００５】
ところで、ショーケースによる設定では、よく使用する設定項目または最初に設定を行い、その後、殆ど設定を変更しない設定項目など様々であり、また、ショーケースの機種によっても設定項目は異なる。
【０００６】
しかしながら、特許文献１では、切換キーによる設定項目の順次切換方式であるため、設定項目は、予め決められている順序で切り換わるだけであり、設定したい項目が必ずしも優先的に並んでおらず、また、ショーケースの機種によっても設定項目は異なるため、このような順次切換方式の設定手順では、目的の設定項目に切り換える操作が繁雑で操作性が悪いと問題があった。
【０００７】
そこで、本発明は、上記問題を解決するためになされたものであり、設定作業の際に操作の利便性を向上させることのできるショーケースの設定装置を提供することを目的とするものである。
【課題を解決するための手段】
【０００８】
上記の目的を達成するために、本発明によれば、ショーケースの設定項目のデータを設定するための設定手段と、該設定手段により設定した設定項目の操作履歴を記憶する記憶手段と、該記憶手段に記憶した操作履歴に基づき、設定項目の設定を行う第１の設定モードと、全設定項目に基づき、設定項目の設定を行う第２の設定モードとを切り換えるモード切換手段と、該モード切換手段により第２の設定モードに切り換え、前記設定手段にて全設定項目の中から設定した設定項目について、前記記憶手段の設定項目の操作履歴を変更可能とし、前記記憶手段の設定項目の操作履歴の変更は、操作履歴の置換、追加、変更無のいずれか１つの処理を選択し、選択された処理に基づき、前記記憶手段に記憶する制御手段とを備えたことを特徴とする。
【発明の効果】
【００１０】
本発明によれば、予め設定されている設定項目に基づく第２の設定モードにて設定した設定項目を記憶手段に記憶させ、次回からは前記記憶手段に記憶させた設定項目に基づく第１の設定モードにて設定可能とすることで、ショーケースにおける設定を簡略化できる。
【００１１】
また、第２の設定モードにて設定した設定項目について、追加、置換、変更無しのいずれかの設定を選択できるようにしたことで、一旦、設定した設定項目であっても、簡単に変更可能となり、設定に柔軟性を持たせることが可能となる。
【図面の簡単な説明】
【００１２】
【図１】本発明の対象となる冷気循環形オープンショーケースの概略構成図であり、図１（ａ）は側面図、図１（ｂ）は正面図である。
【図２】本発明の図１に示す冷気循環形オープンショーケースの操作・表示部の概略拡大正面図である。
【図３】本発明の実施の形態による冷気循環形オープンショーケースの制御装置を示す制御ブロック図である。
【図４】本発明の実施の形態による設定項目を示す設定項目一覧図である。
【図５】本発明の実施の形態による設定操作一覧図を示し、図５（ａ）は設定操作内容図、図５（ｂ）は操作履歴内容図である。
【図６】本発明の実施の形態による追加設定操作一覧図を示し、図６（ａ）は追加設定操作内容図、図６（ｂ）は操作履歴内容図である。
【図７】本発明の実施の形態による置換設定操作一覧図を示し、図７（ａ）は置換設定操作内容図、図７（ｂ）は操作履歴内容図である。
【図８】本発明の実施の形態による簡易設定項目登録に係わるフローチャートである。
【図９】本発明の実施の形態による簡易設定項目の追加登録に係わるフローチャートである。
【発明を実施するための形態】
【００１３】
以下、本発明の実施の形態を図１ないし図９に基づいて説明する。
【００１４】
図１は、本発明の実施の形態の対象となる冷気循環形オープンショーケースを示すものであり、図１（ａ）は内部構造を側方から見た場合を示す概略側面図、図１（ｂ）は概略正面図である。
【００１５】
ショーケース本体１は、前面に開口２が形成された略直方状の断熱筐体であり、その内部には収納室３を構成し、収納室３の外周を囲むように冷気循環通路４が設けられている。
【００１６】
収納室３は、上記開口２を臨むように画成された室であり、複数の商品陳列棚５が上下方向に沿って複数段に設けてある。商品陳列棚５は、それぞれ収納対象となる商品を陳列するためのものであり、前面に商品名、価格などを表示するプライスカードレール６を備えている。
【００１７】
冷気循環通路４は、収納室３の外周を囲むように、下方ダクト４ｂ、背面側にある背面ダクト４ｃ、天井ダクト４ｄを互いに連通した態様で構成し、その下方ダクト４ｂの入口側にはエアカーテンの吸込口４ａ，天井ダクト４ｄの出口側にはエアカーテンの吹出口４ｅが設けられている。また、この冷気循環通路４の背面ダクト４ｃ内にはファン７および蒸発器８が設けられている。
【００１８】
蒸発器８は、図示しないが、圧縮機、凝縮器及び膨張弁とともに冷媒を循環させて収納室３の商品を保冷する冷気循環手段を構成する。これら圧縮機、凝縮器及び膨張弁は、ショーケース本体１の内部であって収納室３の下方域に画成された機械室９に設けられている。
【００１９】
ショーケース本体１の前面上部には、操作・表示部（設定手段）１０を備えている。
【００２０】
この冷気循環形オープンショーケースの保冷運転時には、ファン７が駆動することにより蒸発器８を通して冷気循環通路４及びケース本体１の前面を循環する冷気にて収納室３が所定の温度に保冷され、庫内の商品陳列棚５に陳列した商品を保冷するものである。
【００２１】
図２は、図１に示す操作・表示部１０の概略拡大正面図を示す。
【００２２】
操作・表示部１０は、表示部１０ａ、切換スイッチ（モード切換手段）１０ｂ、決定スイッチ１０ｃ、アップダウンキー１０ｄから構成されている。
【００２３】
表示部１０ａは、現在の温度、設定あるいは確認時におけるデータを表示するものである。
【００２４】
切換スイッチ１０ｂは、表示状態から設定モードに変更するときに押すスイッチであり、切換スイッチ１０ｂを長押しすると全設定項目の設定を行う後述の詳細設定モード（第２の設定モード）に、短押しすると操作履歴に基づく設定を行う後述の簡易設定モード（第１の設定モード）にそれぞれ表示状態を変更する。
【００２５】
また、切換スイッチ１０ｂは、それぞれの設定モードにおいて設定項目を切り換えるためのスイッチを兼用している。
【００２６】
決定スイッチ１０ｃは、切換スイッチ１０ｂにて切り換えた設定項目に関し、項目を設定する際および入力したデータを決定する際に操作する決定スイッチである。
【００２７】
アップダウンキー１０ｄは、設定時に表示部１０ａに表示されたデータをアップダウンするためのキーである。
【００２８】
図３は、ショーケースの制御ブロック図を示すものであって、コントローラ部（制御手段）１１は、ショーケース全体を統括して制御するものであり、ショーケース前面上部の操作・表示部１０、温調用温度センサ、庫内温度表示用センサ、除霜用温度センサ、外気温度センサなどのショーケース本体１の所定位置に配置されている各種センサ１２が接続されている。
【００２９】
コントローラ部１１は、プログラムを記憶する記憶部１１ａ、設定項目、設定データ、操作履歴などを記憶する記憶部（記憶手段）１１ｂを備えている。
【００３０】
また、操作・表示部１０を操作してデータの設定を行うものであり、切換スイッチ１０ｂを長押しした詳細設定モードによる設定を行った際、コントローラ部１１の記憶部１１ｂに設定した設定項目を記憶させるために「追加・置換・無」の３種類の設定を可能とする。
【００３１】
コントローラ部１１は、この設定されているデータと各種センサ１２からのデータとを対比して本実施形態の冷気循環形オープンショーケースの運転を制御する。
【００３２】
この構成において、図４の設定項目一覧図、図５の設定操作一覧図、図６追加設定操作一覧図、図７は置換設定操作一覧図、図８，図９のフローチャートを用いて、以下の設定処理について説明する。
【００３３】
待機状態において、操作・表示部１０の切換スイッチ１０ｂが押されると、この切換スイッチの押圧時間により、詳細設定モードと簡易設定モードとが切り換わるものである。
【００３４】
図８のフローチャートを用い、簡易設定項目登録について説明する。
【００３５】
まず、切換スイッチ１０ｂを長押しすると（ステップＳ１０１，Ｙｅｓ）、詳細設定モードとなる（ステップＳ１０２）。
【００３６】
この詳細設定モード状態において、切換スイッチ１０ｂを短押しする毎に、図４の設定項目一覧図に示す設定項目が予め記憶されている順序に基づいて切り換わる。
【００３７】
今、切換スイッチ１０ｂを短押しして（Ｓ１０３，Ｙｅｓ）、設定したい項目（例えば「冷却温度」）を表示部１０ａに表示させた場合には（Ｓ１０４）、決定スイッチ１０ｃを押し（Ｓ１０５）、表示部１０ａに表示されるデータを確認しながらアップダウンキー１０ｄを操作して設定値を入力し（Ｓ１０６，Ｙｅｓ）、再度、決定スイッチ１０ｃを押すと（Ｓ１０７）、コントローラ部１０の記憶部１１ｂの所定領域に設定データが記憶される（Ｓ１０８）。その後、切換スイッチ１０ｂを短押しして（Ｓ１０９，Ｙｅｓ）、最終項目ではない場合には、次の設定項目表示（例えば「風量」、「除霜運転」）に順次切り換える（ステップＳ１１０，Ｎｏ）。このように、データの設定が全て完了するまでデータの設定作業を繰り返す。
【００３８】
次に、切換スイッチ１０ｂを短押しして（Ｓ１０９，Ｙｅｓ）、最終項目になると（ステップＳ１１０，Ｙｅｓ）、簡易設定項目登録となり、決定スイッチ１０ｃを押し（ステップＳ１１１）、アップダウンキー１０ｄを操作して（ステップＳ１１２）、「置換・追加・無し」の３つの設定からいずれかを選択する（ステップＳ１１３）。
【００３９】
今回は、図５（ａ）の設定操作内容図に示すように、アップダウンキー１０ｄを操作して（ステップＳ１１２）、「置換」を選択し（ステップＳ１１３，Ｙｅｓ）、再度、決定スイッチ１０ｃを押すと（ステップＳ１１４，Ｙｅｓ）、今回設定した設定項目である「冷却温度・風量・除霜運転」が図５（ｂ）の操作履歴内容図に示すようにコントローラ部１１の記憶部１１ｂの所定領域に操作履歴として記憶され（ステップＳ１１５）、次の切換スイッチ１０ｂの短押し操作で（ステップＳ１１６）、設定モードから待機状態へ復帰する。
【００４０】
このように、今回設定した設定項目が操作履歴として記憶部１１ｂに記憶される。
【００４１】
そこで、次回、設定データを変更するために、切換スイッチ１０ｂを短押しすると（ステップＳ１０１，Ｎｏ）、簡易設定モードとなる（ステップＳ１１７）。
【００４２】
次に、切換スイッチ１０ｂを短押しする毎に、図５（ｂ）の操作履歴内容図に示すように記憶部１０ｂに記憶されている３つの設定項目を順番に呼び出し、操作履歴に記憶されている設定項目のみのデータが設定可能となる。なお、この場合には、簡易設定項目登録（「置換・追加・無し」）は表示されずに、記憶されている設定項目の入力が完了すると、次の切換スイッチ１０ｂの操作で設定モードから待機状態へ復帰する。
【００４３】
次に、図９のフローチャートを用い、記憶部１１ｂに簡易設定として記憶されている設定項目に項目を追加する場合について説明する。
【００４４】
まず、切換スイッチ１０ｂを長押しすると（ステップＳ２０１，Ｙｅｓ）、詳細設定モードとなる（ステップＳ２０２）。
【００４５】
この詳細設定モードにて（ステップＳ２０２）、切換スイッチ１０ｂを短押しして（ステップＳ２０３，Ｙｅｓ）、例えば、追加した設定項目の「水切時間」を表示部１０ａに表示させて（ステップＳ２０４）、決定スイッチ１０ｃを押し（ステップＳ２０５）、表示部１０ａに表示されるデータを確認しながらアップダウンキー１０ｄを操作して設定値を入力し（ステップＳ２０６，Ｙｅｓ）、再度、決定スイッチ１０ｃを押すと（ステップＳ２０７）、コントローラ部１０の記憶部１１ｂの所定領域に設定データが記憶される（Ｓ２０８）。その後、切換スイッチ１０ｂを短押しして（Ｓ２０９，Ｙｅｓ）、最終項目ではない場合には、次の設定項目表示に切り換える（ステップＳ２１０，Ｎｏ）。
【００４６】
次に、切換スイッチ１０ｂを短押しして（Ｓ２０９，Ｙｅｓ）、最終項目になると（ステップＳ２１０，Ｙｅｓ）、簡易設定項目登録となり、決定スイッチ１０ｃを押し（ステップＳ２１１）、アップダウンキー１０ｄを操作して（ステップＳ２１２）、「置換・追加・無し」の３つの設定からいずれかを選択する（ステップＳ１１３）。
【００４７】
今回は、図６（ａ）の追加設定操作内容図に示すように、アップダウンキー１０ｄを操作して（ステップＳ２１２）、「追加」を選択し（ステップＳ２１３，Ｙｅｓ）、再度、決定スイッチ１０ｃを押すと（ステップＳ２１４，Ｙｅｓ）、今回の操作では「水切時間」を追加設定したので、前回の操作履歴である「冷却温度・風量・除霜運転」に今回追加設定した「水切時間」を追加した設定項目が図６（ｂ）の操作履歴内容図に示すようにコントローラ部１１の記憶部１１ｂの所定領域に操作履歴として記憶され（ステップＳ２１５）、次の切換スイッチ１０ｂの短押し操作で（ステップＳ２１６）、設定モードから待機モードへ復帰する。
【００４８】
そこで、次回、設定データを変更するために、切換スイッチ１０ｂを短押しすると（ステップＳ２０１，Ｎｏ）、簡易設定モードとなる（ステップＳ２１７）。
【００４９】
次に、切換スイッチ１０ｂを短押しする毎に、図６（ｂ）の操作履歴内容図に示すように、追加された項目も加えた４項目を記憶部１１ｂから順番に呼び出し、操作履歴に記憶されている設定項目のみのデータが設定可能となる。なお、この場合には、簡易設定項目登録は表示されずに、記憶されている設定項目の入力が完了すると、次の切換スイッチ１０ｂの操作で設定モードから待機状態へ復帰する。
【００５０】
次に、図７の置換設定操作内容図を用い、簡易設定項目を新たな設定項目に置き換える場合について説明する。
【００５１】
まず、切換スイッチ１０ｂを長押しして、詳細設定モードとすると、この詳細設定モードにより、図７（ａ）の設定操作内容図に示すように、切換スイッチ１０ｂを短押しして、例えば、冷却温度、水切時間、タイマ運転の起動時刻、停止時刻の各設定項目を表示部１０ａに表示させ、決定スイッチ１０ｃとアップダウンキー１０ｄにて設定を行う。
【００５２】
その後、切換スイッチ１０ｂを短押しして、最終項目である簡易設定項目登録となると、決定スイッチ１０ｃを押し、アップダウンキー１０ｄを操作して「置換」を選択し、再度、決定スイッチ１０ｃを押すと、今回設定した５つの設定項目が図７（ｂ）の操作履歴内容図に示すようにコントローラ部１１の記憶部１１ｂの所定領域に操作履歴として記憶され、次の切換スイッチ１０ｂの短押し操作で、設定モードから待機状態へ復帰する。
【００５３】
そこで、次回、設定データを変更するために、切換スイッチ１０ｂを短押しすると、簡易設定モードとなり、切換スイッチ１０ｂを短押しする毎に、図７（ｂ）の操作履歴内容図に示すように、置き換えられた５項目を記憶部１１ｂから順番に呼び出し、操作履歴に記憶されている項目のみのデータが設定可能となる。
【００５４】
次に、設定データの変更として、１つの設定項目のみを変更する場合について説明すると、切換スイッチ１０ｂを長押しして詳細設定モードとし、対象となる設定項目を読み出し、設定を行い、その後、最終項目である簡易設定項目登録となると、決定スイッチ１０ｃを押し、アップダウンキー１０ｄを操作して「無し」を選択すると、記憶部１１ｂに記憶されている操作履歴の登録内容は変更されず、次の切換スイッチ１０ｂの短押し操作で、設定モードから待機状態へ復帰する。
【００５５】
なお、実施の形態においては、決定スイッチ１０ｃを用いたが、切換スイッチ１０ｂの操作にて兼用してもよい。
【００５６】
このように、本実施の形態においては、前回設定した設定項目のみ呼出可能として、設定操作の簡略化を図るとともに、この設定項目について、設定項目の置換、追加、変更無しを選択できるようにして、設定項目の変更を容易にできる。
【符号の説明】
【００５７】
１          ショーケース本体
１０        操作・表示部
１０ａ      表示部
１０ｂ      切換スイッチ
１０ｃ      決定スイッチ
１０ｄ      アップダウンキー
１１      コントローラ部
１１ａ    記憶部
１１ｂ    記憶部
１２      各種センサ
【図１】
0005750891.tif 000002
【図２】
0005750891.tif 000003
【図３】
0005750891.tif 000004
【図４】
0005750891.tif 000005
【図５】
0005750891.tif 000006
【図６】
0005750891.tif 000007
【図７】
0005750891.tif 000008
【図８】
0005750891.tif 000009
【図９】
0005750891.tif 000010